(57)【特許請求の範囲】
【請求項１】
培地が収容され、前記培地につる性植物が植えられた複数のポットと、
前記複数のポットが収容される収容室を区画するとともに、前記つる性植物が通り抜ける開口を備え、建物に設置される栽培槽と、
を有し、
前記開口から前記栽培槽の外へと繁茂した前記つる性植物によって、前記建物の緑化対象範囲を覆う緑化装置であって、
前記収容室において、前記複数のポットは横並びであって多段に配置され、かつ、下段の隣り合うポットに跨るように上段の各ポットが配置されており、
前記収容室内における下段の前記ポットと上段の前記ポットの間の高さ位置に、下段の前記ポットのそれぞれに臨む位置に上面側の水を流下させる流水孔が開設された仕切り板を配置したことを特徴とする緑化装置。
【請求項２】
前記栽培槽は、前記ポットの並び方向に長い上面開放の直方体状に構成され、一対の長手側板の上部に前記開口が設けられた栽培槽本体と、前記栽培槽本体の上面開口を塞ぐ蓋体とを備え、
前記複数のポットを、一方の長手側板に沿って列状に並べて第１ポット群とするとともに、他方の長手側板に沿って列状に並べて第２ポット群とすることを特徴とする請求項１に記載の緑化装置。
【請求項３】
前記栽培槽は、前記ポットの並び方向に長い上面開放の直方体状に構成された栽培槽本体と、前記栽培槽本体の上面開口を塞ぐ蓋体とを備え、
前記栽培槽本体には、一対の短手側板の上縁から下側に向けて灌水管を保持するための保持溝が形成されていることを特徴とする請求項１又は２に記載の緑化装置。
【発明の詳細な説明】
【技術分野】
【０００１】
本発明は、建物における緑化対象範囲をつる性植物で覆う緑化装置に関する。
【背景技術】
【０００２】
植物の生育に必要な栄養を含んだ培養水によって植物を水耕栽培し、建物における緑化対象範囲をつる性植物で覆う緑化装置が知られている。この栽培装置では、例えば栽培槽内に敷き詰められた培地につる性植物が植え込まれ、この培地に対して培養水が供給される（例えば特許文献１を参照）。
【先行技術文献】
【特許文献】
【０００３】
【特許文献１】特開２００９−１８３２８０号公報
【発明の概要】
【発明が解決しようとする課題】
【０００４】
しかしながら、前述した栽培装置では、栽培槽内に敷き詰められた培地につる性植物を植えているため、植え込みに手間が掛かるという問題があった。また、枯れてしまったつる性植物の植え替えが困難であるという問題もあった。
【０００５】
これらの問題を解決すべく、培地を入れたポットにつる性植物を植え込み、このポットを栽培槽内に収容することが考えられる。しかし、つる性植物の根を張らせる必要があることから、ポットを小さくすることには限界があり、ポットにはある程度の大きさが必要となる。このため、単にポットを並べて収容しただけでは、単位面積当たりのつる性植物の数が不足し、建物の緑化対象範囲を十分に覆えない虞があった。
【０００６】
本発明は、このような事情に鑑みてなされたものであり、つる性植物の植え込み作業や植え替え作業を容易にし、かつ、建物の緑化対象範囲を十分に覆うことを目的とする。
【課題を解決するための手段】
【０００７】
前記課題を解決するため、本発明は、培地が収容され、前記培地につる性植物が植えられた複数のポットと、前記複数のポットが収容される収容室を区画するとともに、前記つる性植物が通り抜ける開口を備え、建物に設置される栽培槽と、を有し、前記開口から前記栽培槽の外へと繁茂した前記つる性植物によって、前記建物の緑化対象範囲を覆う緑化装置であって、前記収容室において、前記複数のポットは横並びであって多段に配置され、かつ、下段の隣り合うポットに跨るように上段の各ポットが配置されており、前記収容室内における下段の前記ポットと上段の前記ポットの間の高さ位置に、下段の前記ポットのそれぞれに臨む位置に上面側の水を流下させる流水孔が開設された仕切り板を配置したことを特徴とする。
【０００８】
本発明によれば、培地が収容されたポットにつる性植物が植えられているので、栽培槽の収容室にポットを収容するだけで、つる性植物の植え込みができる。また、つる性植物が枯れてしまった場合、そのつる性植物のポットを収容室から取り出した後、新しいつる性植物のポットを収容室に収容することで、つる性植物の植え替えができる。このように、本発明では、つる性植物の植え込みや植え替え作業を容易にすることができる。さらに、隣り合う下段のポットに跨る状態で、上段のポットが配置されるので、下段のポットと上段のポットとが上下方向に対して千鳥状に位置付けられる。このため、限られた大きさの収容室内であっても、植え込むつる性植物の数を増やすことができ、建物の緑化対象範囲を十分に覆うことが可能になる。そして、仕切り板によって、上側に配置される他のポットを安定させることができるし、流水孔によって、下側の各ポットに対する給水の確実性を高めることができる。
【０００９】
前述の緑化装置において、前記栽培槽が、前記ポットの並び方向に長い上面開放の直方体状に構成され、一対の長手側板の上部に前記開口が設けられた栽培槽本体と、前記栽培槽本体の上面開口を塞ぐ蓋体とが備えられ、前記複数のポットを、一方の長手側板に沿って列状に並べて第１ポット群とするとともに、他方の長手側板に沿って列状に並べて第２ポット群とすることが好ましい。この構成では、第１ポット群のつる性植物を、一方の長手側板の開口から栽培槽の外へ繁茂させることができ、第２ポット群のつる性植物を、他方の長手側板の開口から栽培槽の外へ繁茂させることができる。すなわち、つる性植物を２方向へ向けて繁茂させることができる。その結果、建物の緑化対象範囲を少ない数の栽培槽によって効率よく覆うことができる。
【００１０】
前述の緑化装置において、前記栽培槽を、前記ポットの並び方向に長い上面開放の直方体状に構成された栽培槽本体と、前記栽培槽本体の上面開口を塞ぐ蓋体とを備える構成とし、前記栽培槽本体には、一対の短手側板の上縁から下側に向けて灌水管を保持するための保持溝が形成されていることが好ましい。この構成では、収容室内へのポットの収容時や収容室からのポットの取り外し時において、灌水管を容易に着脱できる。これにより、灌水管が邪魔になり難く、つる性植物の植え込み作業や植え替え作業を容易に行うことができる。
【発明の効果】
【００１１】
本発明によれば、つる性植物の植え込み作業や植え替え作業を容易に行え、かつ、建物の緑化対象範囲を十分に覆うことができる。
【図面の簡単な説明】
【００１２】
【図１】緑化装置の設置状態を説明する図である。
【図２】参考実施例の栽培槽及び収容状態のポットをその長手方向に切断して示す断面図である。
【図３】参考実施例の栽培槽及び収容状態のポットをその短手方向に切断して示す断面図である。
【図４】参考実施例の栽培槽の長手側板に形成された開口及びこの開口から伸びるつる性植物を説明する図である。
【図５】参考実施例の栽培槽本体に収納された複数のポットを説明する平面図である。
【図６】変形例のポットを説明する図である。
【図７】変形例のポットにおける水の流れを説明する図である。
【図８】実施形態の栽培槽を説明する断面図である。
【図９】（ａ）は仕切り板と複数のポットの関係を説明する平面図である。（ｂ）は（ａ）におけるＢ矢視図である。
【図１０】実施形態における水の流れを説明する図である。
【図１１】（ａ）及び（ｂ）は、灌水管の取り外しを説明する図である。
【発明を実施するための形態】
【００１３】
以下、本発明の実施形態を、図面を参照しつつ説明する。まず、緑化装置の全体構成について説明する。
【００１４】
図１に例示した緑化装置は、家屋等の建物Ｈにおいて屋根表面を緑化する屋根緑化装置である。この屋根緑化装置は、例えば、栽培槽１と、培養水循環ユニット２と、金属網３とを備えている。
【００１５】
図１に示す建物Ｈは切妻造りをしている。このため、建物Ｈの屋根４は、頂部である大棟部５を境に、両側に向けて下り傾斜した状態で設けられる。この屋根４には波板が用いられており、凹凸状の筋が大棟部５から軒部６に向かうように波板が葺かれている。
【００１６】
栽培槽１は、つる性植物ＰＬを水耕栽培するためのものであり、屋根４の大棟部５に設置されている。この栽培槽１で栽培されるつる性植物ＰＬとしては、多年生のものが用いられる。耐寒性及び耐暑性に優れ、また垂下性を有するという観点からウコギ科のつる性植物ＰＬが好適に用いられる。ウコギ科のつる性植物ＰＬとしては、ヘデラ・ヘリックス、ヘデラ・アルジェニシス、ヘデラ・コルシカ、ヘデラ・ハイバニカ等が挙げられる。
【００１７】
栽培槽１は、直方体状の外観形状をしており、内部に空洞を有する箱体によって構成されている。例えば図２に示すように、栽培槽１は、ポリ塩化ビニル等の遮光性を有する樹脂性材料によって作製され、上面が開放された栽培槽本体２１と栽培槽本体２１の上面開口を上方から覆う蓋体２２とを有している。これらの栽培槽本体２１と蓋体２２とにより、つる性植物ＰＬの根元部分が植えられた複数のポット２３を横並びにかつ多段に収容する収容室２０が、栽培槽１の内部に区画される。なお、栽培槽１については、後で詳しく説明する。
【００１８】
培養水循環ユニット２は、栽培槽１との間で培養水を循環させるための部分である。培養水とは、つる性植物ＰＬの生育に必要な栄養素が添加された水である。図１に示すように、培養水循環ユニット２は、培養水タンク１１と、給水ポンプ１２と、培養水生成部１３とを有している。
【００１９】
培養水タンク１１は、培養水を貯留する部分であり、藻の発生を抑制するため遮光性の樹脂製容器が用いられている。この培養水タンク１１には供給管１４の下端部分及び回収管１５の下端部分が挿入されている。供給管１４は、培養水循環ユニット２から送出される培養水を栽培槽１へと導くためのパイプ材であり、栽培槽１と同様に遮光性を有する樹脂性材料によって作製される。回収管１５は、栽培槽１から排出された培養水を培養水循環ユニット２へと導くためのパイプ材であり、やはり遮光性を有する樹脂性材料によって作製される。なお、供給管１４の下端開口は培養水タンク１１の底面付近に位置し、回収管１５の下端開口は培養水タンク１１の上部に位置している。
【００２０】
給水ポンプ１２は、供給管１４の途中に設けられており、培養水タンク１１に貯められた培養水を栽培槽１へ向けて送出する。送出された培養水は、栽培槽１の内部でポット２３に灌水される。そして、ポット２３から流出した培養水やポット２３に灌水されずに流下した培養水が回収管１５を通じて培養水タンク１１に回収される。
【００２１】
培養水生成部１３は、つる性植物ＰＬの生育に必要な栄養素が濃縮された濃縮液を水道水で希釈することにより、培養水を生成する。この培養水生成部１３は濃縮液タンク１６と混合器（図示せず）とを有する。濃縮液タンク１６は濃縮液を貯留する。混合器は水道水と濃縮液とを適当な割合で混ぜて培養水を生成する。混合器で生成された培養水は、培養水タンク１１に送られる。なお、混合器は、培養水タンク１１に貯留された培養水の量が規定量未満の場合に動作し、規定量に達するまで培養水を補充する。
【００２２】
次に、金属網３について説明する。この金属網３は、栽培槽１から伸長したつる性植物ＰＬを支持するための支持部材であり、屋根４の表面から多少浮かせた状態で取り付けられている。この金属網３は、長期間に亘って外気にさらされても腐食され難いように、ステンレス製の網が使用されている。この金属網３の網目は、つる性植物ＰＬが絡んで固定され易いような大きさに設けられている。また、網目の形状は、亀甲形や菱形等、種々の形状が採られる。
【００２３】
次に、参考実施例の栽培槽１について詳細に説明する。
【００２４】
図２に示す栽培槽１は、前述したように直方体の箱状をしており、栽培槽本体２１と蓋体２２とを有している。図２〜図４に示すように、栽培槽本体２１は、長方形状の底板２４と底板２４の各辺から上方に設けられた側板２５，２６とを有しており、底板２４と側板２５，２６との間、及び、隣り合う側板２５，２６同士の間は、液密な状態で接合されている。便宜上、以下の説明では、底板２４の各長辺から立ち上がっている一対の側板のことを長手側板２５といい、底板２４の各短辺から立ち上がっている一対の側板のことを短手側板２６という。蓋体２２は、長方形状の天板２７とこの天板２７の各辺から下方に設けられた側縁部２８とを有し、下面が開放された底の浅い箱状をしている。蓋体２２における内周面の大きさは、栽培槽本体２１の外周面とほぼ同じであり、蓋体２２を栽培槽本体２１の上部に被せた際に丁度嵌るように構成されている。
【００２５】
図３及び図４に示すように、栽培槽本体２１における長手側板２５の上縁部には複数の切り欠き２９が設けられている。この切り欠き２９は、栽培槽１の長手方向に所定間隔で設けられている。同様に、蓋体２２の側縁部２８にも切り欠き３０が設けられている。これらの切り欠き２９，３０は、栽培槽１に収容されたつる性植物ＰＬが通り抜けるための開口３１を、栽培槽１の長手側板２５における上部に形成する。
【００２６】
また、図２及び図３に示すように、栽培槽１内の上部には灌水管３２が栽培槽１の長手方向に沿って配置されている。この灌水管３２は、栽培槽１内に収容された各ポット２３に灌水するためのものであり、一端が短手側板２６から外側に突出されている。そして、灌水管３２の突出部分には、供給管１４の上端部が接続されている。また、灌水管３２における栽培槽１内の部分には、その周面に複数の噴射孔３２ａが灌水管３２の長手方向に沿って複数開設されている。このため、供給管１４から灌水管３２に流れ込んだ培養水は各噴射孔３２ａからポット２３に向けて噴射される。
【００２７】
この栽培槽１では、後述するように、横並びに並べた複数のポット２３を上下段に重ねた状態で収容室２０内に収容している。このため、灌水管３２は、収容室２０内において上段に位置する上側ポット２３Ｕの上縁よりも高い位置に配置され、各噴射孔３２ａは上側ポット２３Ｕに向けて培養水を噴射する角度に開設されている。この例において、各噴射孔３２ａは、時計の位置で４時及び８時の角度に開設されている。
【００２８】
また、栽培槽本体２１の底面（底板２４の上面）は、供給管１４側から僅かに下り傾斜した状態で設けられる。そして、供給管１４側とは反対に位置する短手側板２６において、その下端には挿入口３３が開設され、この挿入口３３には回収管１５の上端部が挿入されている。このため、灌水管３２の各噴射孔３２ａから噴射された培養水のうち、栽培槽本体２１の底面に流下したものは、この底面を回収管１５側に向かって流れ、回収管１５に流れ込む。前述したように、回収管１５に流れ込んだ培養水は、この回収管１５内を流下して培養水タンク１１に回収される。
【００２９】
図２〜図４に示すように、栽培槽本体２１の上部に蓋体２２が嵌められることで、栽培槽１内には横方向に細長い直方体状の空間が区画される。この空間は、つる性植物ＰＬの根の部分が植えられたポット２３を収容するための収容室２０となる。このポット２３は、例えばポリエチレンやポリプロピレン等の樹脂素材によって作製され、円錐台状の外観を呈している。そして、上側に位置する大径部が開口され、下側に位置する小径部には排水用の孔が開設されている。図５に示すように各ポット２３には培地３４が充填され、つる性植物ＰＬの根元部分が植えられている。
【００３０】
参考実施例では、収容室２０の高さがポット２３の高さの２倍以上に定められており、ポット２３を上下方向に二段重ねの状態で収容できるようにしている。また、収容室２０における長手方向の長さをポット２３の直径のｎ個分（ｎは２以上の整数）以上に定め、ｎ個のポット２３を長手方向に沿って横並びに置けるようにしている。さらに、収容室２０における長手方向の長さをポット２３の直径の２個分＋α（αはクリアランス分）に定め、長手方向に並ぶポット群を短手方向に２列置けるようにしている。
【００３１】
具体的には、栽培槽本体２１が有する底板２４の上に、下段の下側ポット２３Ｄを載置するための載置台３５を２つ短手方向に並べて設置し、一方の長手側板２５（参考実施例では図３の左側）に近い側の載置台３５に、つる性植物ＰＬが植えられた複数個の下側ポット２３Ｄを、この長手側板２５に沿って（栽培槽１の長手方向に沿って）互いに隣り合う状態に並べている。さらに、図２や図５に示すように、これらのポット群における隣り合う下側ポット２３Ｄの上に、下側ポット２３Ｕ同士を跨ぐ状態で各上側ポット２３Ｕを載置している。そして、各ポット２３（２３Ｄ，２３Ｕ）に植えられたつる性植物ＰＬを、この長手側板２５における上部に形成された開口３１を通じて栽培槽１の外側へと導いている。また、他方の長手側板２５（参考実施例では図３の右側）に近い側の載置台３５についても同様に、複数のポット２３（２３Ｄ，２３Ｕ）を並べた状態で収容している。
【００３２】
このように、複数のポット２３を収容室２０内に収容することで、隣り合う下側ポット２３Ｄに跨るよう状態に上側ポット２３Ｕが配置されるため、下側ポット２３Ｄと上側ポット２３Ｕとが上下方向に対して千鳥状に位置付けられる。その結果、限られた大きさの収容室２０内であっても、植え込むつる性植物ＰＬの数を増やすことができる。これにより、開口３１を通じて栽培槽１の外へ伸びるつる性植物ＰＬの密度を増やすことができ、建物Ｈの緑化対象範囲をつる性植物ＰＬによって十分に覆うことができる。
【００３３】
また、参考実施例では、一方の長手側板２５に近い側のポット群（第１ポット群）と、他方の長手側板２５に近い側のポット群（第２ポット群）とを１つの栽培槽１に収容している。このように構成することで、１つの栽培槽１であっても、一方の長手側板２５側と他方の長手側板２５側の２方向へ向けてつる性植物ＰＬを繁茂させることができる。その結果、建物Ｈの緑化対象範囲を少ない数の栽培槽１によって効率よく覆うことができる。
【００３４】
具体的には、図１に示すように、切妻造りをした建物Ｈの大棟部５に栽培槽１が設置されている。すなわち、一対の軒部６のそれぞれに長手側板２５を向けた状態で複数の栽培槽１を設置している。このため、一方の長手側板２５から繁茂したつる性植物ＰＬによって屋根４の片半部分を、他方の長手側板２５から繁茂したつる性植物ＰＬによって残りの部分を覆うことができる。その結果、栽培槽１から繁茂したつる性植物ＰＬによって、屋根４を効率よく覆うことができる。
【００３５】
また、参考実施例では、培地３４が収容されたポット２３につる性植物ＰＬが植えられているので、栽培槽１の収容室２０にポット２３を収容するだけで、つる性植物ＰＬの植え込みができる。また、つる性植物ＰＬが枯れてしまった場合、そのつる性植物ＰＬのポット２３を収容室２０から取り出した後、新しいつる性植物ＰＬのポット２３を収容室２０に収容することで、つる性植物ＰＬの植え替えができる。このように、本発明では、つる性植物ＰＬの植え込みや植え替え作業を容易にすることができる。
【００３６】
以上説明したように、参考実施例の緑化装置を用いることにより、つる性植物ＰＬの植え込み作業や植え替え作業を容易に行え、かつ、建物Ｈの緑化対象範囲を十分に覆うことができる。
【００３７】
ところで、上述の参考実施例では、収容室２０内に複数のポット２３が２段重ねの状態で配置されていた。この構成では、下側ポット２３Ｄに対して培養水が十分に供給されないこともあり得る。そこで、上段に配置される上側ポット２３Ｕについては、その底面に、下段に配置される下側ポット２３Ｄのそれぞれに培養水が排出されるように、複数の排水孔を設けておくことが好ましい。
【００３８】
例えば、図６に示す変形例のように、上側ポット２３Ｕの底面における、一方の下側ポット２３Ｄに臨む位置には、上側ポット２３Ｕ内の水を排出するための排水孔２３ａ（第１排水部）を設け、他方の下側ポット２３Ｄに臨む位置にも同様な排水孔２３ｂ（第２排水部）を設ける。
【００３９】
この構成により、上側ポット２３Ｕ内を流下した培養水は各排水孔２３ａ，２３ｂを通じて下側ポット２３Ｄのそれぞれへと排出される。すなわち、図７に矢印で示すように、一方の排水孔２３ａから排出された培養水は、一方の下側ポット２３Ｄに灌水され、他方の排水孔２３ｂから排出された培養水は他方の下側ポット２３Ｄに灌水される。このように、上側ポット２３Ｕから排出された培養水について振り分けが行われるので、各下側ポット２３Ｄに対する給水の確実性を高めることができる。
【００４０】
次に、本発明の実施形態について説明する。
【００４１】
図８から図１１は、本実施形態の栽培槽１を説明する図である。以下、これらの図面を参照して本実施形態について説明する。なお、栽培槽１以外の各部については、前述の参考実施例と同じ構成であるため、詳細な説明は省略する。
【００４２】
図８は本実施形態の栽培槽１の内部構成を説明する断面図であり、参考実施例の図２に対応している。本実施形態の栽培槽１でも参考実施例の栽培槽１と同様に、複数のポット２３は、上下方向に千鳥状となるように多段に配置され、かつ、短手方向に並ぶ第１ポット群及び第２ポット群が構成されている。
【００４３】
そして、本実施形態では、上側ポット２３Ｕと下側ポット２３Ｄの間の高さ位置に仕切り板４１が配置されている点で、参考実施例と相違している。また、参考実施例で設けられていた載置台３５が設けられていない点でも参考実施例と相違している。
【００４４】
図９（ａ）に一部分を示すように、仕切り板４１は、つる性植物ＰＬのつるを通すための切り込み４２が形成された板状部材であり、収容室２０に丁度収まる形状とされている。すなわち、この仕切り板４１は、底板２４の平面形状と同じ大きさの矩形状板材に対して、板材の長辺部分から短辺側の中央側に向けて矩形状の切り込み４２を複数形成した形状とされている。本実施形態における仕切り板４１は、ポリカーボネイトやポリ塩化ビニル等の樹脂素材によって一体成型されている。
【００４５】
同図に点線で示すように、下側ポット２３Ｄは、収容室２０における下半部分に横並びの状態で配置されている。仕切り板４１の切り込み４２は、平面方向から見て下側ポット２３Ｄの中心部分を少し越える位置まで形成されている。このため、下側ポット２３Ｄの平面中心部に植え込まれたつるが、この切り込み４２を通って上方に伸びる。そして、切り込み４２同士の間の領域は、図中一点鎖線で示す上側ポット２３Ｕの載置部分になる。
【００４６】
上側ポット２３Ｕの載置部分における各下側ポット２３Ｄを臨む位置には、板厚方向を貫通する流水孔４３が形成されている。この流水孔４３は、仕切り板４１における上面側の培養水を流下させるためのものである。本実施形態の流水孔４３は、図９（ｂ）に示すように漏斗状をしている。すなわち、上半部分が下方向に向けて縮径されたテーパー部になっており、下半部分が一定内径のストレート部になっている。
【００４７】
図１０に示すように、各流水孔４３は、各下側ポット２３Ｄを臨む位置に設けられている。この構成によって、仕切り板４１における上面側の培養水を下側ポット２３Ｄへと確実に導くようにしている。すなわち、各下側ポット２３Ｄに対する給水の確実性を高めることができる。
【００４８】
図９（ａ）及び図１０に示すように、仕切り板４１の外周縁には、上方に向けてリブ４４が形成されている。このリブ４４によって、切り込み４２を形成したことによる強度不足を補っている。また、仕切り板４１の板厚を薄くしつつも必要な剛性を確保している。さらに、リブ４４を上方に向けることで、外周縁からの培養水の流出を減らしている。これにより、流水孔４３へ流れ込む培養水の量を増やし、下側ポット２３Ｄへ灌水される培養水の量を増やしている。
【００４９】
図９（ｂ）に示すように、仕切り板４１は、各側板２５，２６の内面から内側に張り出した支持突条４５の上に載置されている。すなわち、仕切り板４１や各上側ポット２３Ｕの荷重を各側板で受けている。このように、仕切り板４１を支持突条４５で支持することにより、仕切り板４１を安定した状態で配置することができ、ひいては仕切り板４１に載置される複数の上側ポット２３Ｕを安定した状態で配置できる。また、上側ポット２３Ｕ及び仕切り板４１の荷重を各側板で受けているので、下側ポット２３Ｄが変形する不具合を防止することもできる。
【００５０】
本実施形態の栽培槽１では、灌水管３２の長さが栽培槽１の長手方向の長さよりも長く定められている。そして、図１１に示すように、栽培槽本体２１の両短手側板２６には、その上縁から下側に向けて灌水管３２を保持するための保持溝４６が形成されている。すなわち、栽培槽１の使用時においては、図１１（ａ）に示すように、両短手側板２６の保持溝４６内に灌水管３２を保持させた状態で、栽培槽本体２１の上から蓋体２２を被せる。また、収容室２０にポット２３を収容したり、収容されたポット２３を取り外したりする場合には、図１１（ｂ）に示すように、蓋体２２と灌水管３２とを栽培槽本体２１から取り外す。このように構成することで、ポット２３の収容時や取り外し時において灌水管３２が邪魔になり難くなる。その結果、つる性植物ＰＬの植え込み作業や植え替え作業を容易に行うことができる。
【００５１】
前述した実施形態は、本発明の理解を容易にするためのものであり、本発明を限定して解釈するためのものではない。本発明は、その趣旨を逸脱することなく変更、改良されると共に、本発明にはその等価物も含まれる。
【００５２】
例えば、緑化装置に関し、前述の実施形態では、屋根４を緑化する屋根緑化装置を例示したがこれに限定されるものではない。屋根緑化装置の他、建物Ｈの壁面を緑化する壁面緑化装置であってもよい。壁面緑化装置の場合、壁面が緑化対象範囲に相当する。
【００５３】
また、前述の実施形態では、栄養素を含んだ培養水を循環使用していたが、栄養素を含まない水を循環使用してもよい。また、培養水や水は循環使用するものに限られない。例えば、栽培槽本体２１の底面に流下した培養水等を下水に直接排出させてもよい。
【００５４】
栽培槽１に関し、直方体状のものを例示したが、ポット２３Ｕ，２３Ｄを重ねた状態で収納できれば、直方体状に限られない。例えば、円筒状や多角形筒状であってもよい。また、ポット２３Ｕ，２３Ｄを重ねる段数は２段に限られない。すなわち、３段以上に重ねてもよい。
【００５５】
ポット２３の形状に関し、逆円錐台形状に限られない。直方体状であってもよいし、逆角錐台形状であってもよい。
【符号の説明】
【００５６】
１…栽培槽，２…培養水循環ユニット，３…金属網，４…屋根，５…大棟部，６…軒部，１１…培養水タンク，１２…給水ポンプ，１３…培養水生成部，１４…供給管，１５…回収管，１６…濃縮液タンク，２０…収容室，２１…栽培槽本体，２２…蓋体，２３…ポット，２３Ｕ…上側ポット，２３Ｄ…下側ポット，２４…底板，２５…長手側板，２６…短手側板，２７…天板，２８…側縁部，２９…長手側板の切り欠き，３０…側縁部の切り欠き，３１…開口，３２…灌水管，３２ａ…噴射孔，３３…挿入口，３４…培地，３５…載置台，４１…仕切り板，４２…切り込み，４３…流水孔，４４…リブ，４５…支持突条，４６…保持溝，Ｈ…建物，ＰＬ…つる性植物
【図１】
0005340325.tif 000002
【図２】
0005340325.tif 000003
【図３】
0005340325.tif 000004
【図４】
0005340325.tif 000005
【図５】
0005340325.tif 000006
【図６】
0005340325.tif 000007
【図７】
0005340325.tif 000008
【図８】
0005340325.tif 000009
【図９】
0005340325.tif 000010
【図１０】
0005340325.tif 000011
【図１１】
0005340325.tif 000012